(57)【要約】  【課題】  商品の販売促進の効果を向上させ、かつ、特定の人又は不特定多数の人に向けてメッセージを伝えることを可能とする。  【解決手段】  ユーザが携帯電話機１から自動販売機２に対して、情報を送信すると、自動販売機は、インターネット上に電子掲示板を公開している掲示板サーバ３にその情報を送信する。掲示板サーバは、その掲示板サーバを電子掲示板に公開することで、インターネット経由で情報を閲覧することができる。また、自動販売機の代わりにキオスク端末を用いることも可能であり、さらに、商品購入時に、掲示板サーバに情報の登録をすることを許可する電子登録券を携帯電話機に記憶させ、この電子登録券と引き換えに携帯電話機からの情報を掲示板サーバの電子掲示板に登録することも可能である。さらに、自動販売機が携帯電話機からの情報を出力手段から出力することで、自動販売機の周囲に居る人々にメッセージを伝えることが可能となる。【選択図】  図１
2006252260.tif 000002
【特許請求の範囲】
【請求項１】
商品を販売する自動販売機であって、
ユーザの携帯電話機からの伝言メッセージの受信が可能となる通信手段と、
前記伝言メッセージを目視可能なように表示するか、又は聴取可能なように再生するための出力手段とを有し、
前記ユーザが特定の人又は不特定多数の人に前記伝言メッセージを伝えることを可能とする自動販売機。
【請求項２】
前記自動販売機が、前記ユーザが前記自動販売機から前記商品を購入した場合に前記携帯電話機からの前記伝言メッセージの受信を可能とする制御手段を有することを特徴とする請求項１記載の自動販売機。
【請求項３】
情報販売又は情報提供を行うキオスク端末であって、
ユーザの携帯電話機からの伝言メッセージの受信が可能となる通信手段と、
前記伝言メッセージを目視可能なように表示するか、又は聴取可能なように再生するための出力手段とを有し、
前記ユーザが特定の人又は不特定多数の人に前記伝言メッセージを伝えることを可能とするキオスク端末。
【請求項４】
前記ユーザが前記キオスク端末に所定の情報を入力した場合に、前記携帯電話機からの前記伝言メッセージの受信を可能とする制御手段を有することを特徴とする請求項３記載のキオスク端末。
【請求項５】
情報販売又は情報提供を行うキオスク端末であって、
商品購入と引き換えに電子掲示板に情報を登録するための電子登録券を販売者端末から受信した携帯電話機から、前記電子登録券を受信する手段と、
前記電子登録券を認証する認証手段と、
前記認証が正常に行われた場合、前記情報を受信する手段と、
インターネットに公開されている電子掲示板を有する掲示板サーバに前記情報を送信する手段とを有し、
前記システムサーバは前記電子掲示板に前記情報を登録するようにするキオスク端末。
【請求項６】
前記販売者端末は、ＰＯＳ端末であることを特徴とする請求項５に記載のキオスク端末。
【請求項７】
前記販売者端末は、自動販売機であることを特徴とする請求項５に記載のキオスク端末。
【請求項８】
携帯電話機のユーザが特定の人又は不特定多数の人に伝言メッセージを伝えることを可能とする電子掲示板システムであって、
インターネットに公開されている電子掲示板を管理する掲示板サーバと、
前記携帯電話機からの前記伝言メッセージの受信が可能となる通信手段と、前記伝言メッセージを目視可能なように表示するか、又は聴取可能なように再生するための出力手段とを有する自動販売機とにより構成され、
前記携帯電話機から前記自動販売機に前記携帯電話機の識別情報及び前記伝言メッセージを送信し、
前記自動販売機は前記自動販売機の前記出力手段から前記伝言メッセージを出力し、
前記自動販売機から前記掲示板サーバに前記携帯電話機の前記識別情報及び前記伝言メッセージを送信し、
前記掲示板サーバは前記電子掲示板に前記伝言メッセージを掲示し、
前記携帯電話機の前記識別情報を参照して、前記掲示板サーバから前記携帯電話機に前記伝言メッセージが掲示された旨の電子メールを送信するようにした電子掲示板システム。
【請求項９】
前記ユーザが前記自動販売機から商品を購入した場合、前記自動販売機が前記携帯電話機からの前記伝言メッセージの受信を可能とする制御手段を有することを特徴とする請求項８記載の電子掲示板システム。
【請求項１０】
携帯電話機のユーザが特定の人又は不特定多数の人に伝言メッセージを伝えることを可能とする電子掲示板システムであって、
インターネットに公開されている電子掲示板を管理する掲示板サーバと、
前記携帯電話機からの前記伝言メッセージの受信が可能となる通信手段と、前記伝言メッセージを目視可能なように表示するか、又は聴取可能なように再生するための出力手段とを有するキオスク端末とにより構成され、
前記携帯電話機から前記キオスク端末に前記携帯電話機の識別情報及び前記伝言メッセージを送信し、
前記キオスク端末は、前記キオスク端末の前記出力手段から前記伝言メッセージを出力し、
前記キオスク端末から前記掲示板サーバに前記携帯電話機の前記識別情報及び前記伝言メッセージを送信し、
前記掲示板サーバは前記電子掲示板に前記伝言メッセージを掲示し、
前記携帯電話機の前記識別情報を参照して、前記掲示板サーバから前記携帯電話機に前記伝言メッセージが掲示された旨の電子メールを送信するようにした電子掲示板システム。
【請求項１１】
前記ユーザにより前記キオスク端末に所定の情報が入力された場合、前記キオスク端末が前記携帯電話機からの前記伝言メッセージの受信を可能とする制御手段を有することを特徴とする請求項１０記載の電子掲示板システム。
【請求項１２】
前記掲示板サーバが、前記電子メールに販売促進の効果を有する情報を挿入する情報挿入手段を有することを特徴とする請求項８ないし１１記載の電子掲示板システム。
【請求項１３】
電子掲示板をネット接続サービスを介して閲覧可能に提示する掲示板サーバを備え、
商品の販売者端末から、ユーザの携帯電話機に商品購入と引き換えに前記電子掲示板に情報を登録する電子登録券を送信し、
前記携帯電話機から、前記電子登録券をキオスク端末に送信することと引き換えに前記電子掲示板に情報を送信し、
前記キオスク端末から前記情報を前記掲示板サーバに登録するようにした電子掲示板システム。
【請求項１４】
前記販売者端末がＰＯＳ端末であることを特徴とする請求項１３記載の電子掲示板システム。
【請求項１５】
前記販売者端末が自動販売機であることを特徴とする請求項１３記載の電子掲示板システム。
【発明の詳細な説明】
【技術分野】
【０００１】
本発明は、自動販売機及びキオスク端末並びに電子掲示板システムに関し、特に集客効果があり、付加サービスを提供する自動販売機及びキオスク端末並びにフランチャイズシステムなどの販売促進に好適な電子掲示板システムに関する。
【背景技術】
【０００２】
従来、商品の販売促進のため、例えば集客効果を高めたり、商品販売に関連して値引きをしたり、付加サービス（いわゆる「おまけ」）を提供したりするなど、様々なことが行われている。
【０００３】
また、パソコンや携帯電話機などのメディアを用いて、インターネットを介して特定の人又は不特定多数の人に向けてメッセージを送る電子メールや掲示板（一般に電子掲示板、ＢＢＳ（Bulletin Board System：電子掲示板システム）などと呼ばれる）が存在する。
【０００４】
また一方で、特定の人又は不特定多数の人に向けてメッセージを伝えようとする場合、駅や店などに設置された電子掲示板などにメッセージや張り紙を残したり、メッセージを書いたビラを配布したりしている。
【発明の開示】
【発明が解決しようとする課題】
【０００５】
しかしながら、従来の「おまけ」は、例えばサービス商品やサービス券などである。サービス商品に関しては、顧客の好みと一致しているものとは限らず、また、持ち帰るのにかさ張るなどの問題点がある。一方、サービス券に関しては、紛失しやすいなどの問題点がある。いずれにしても、サービス商品、サービス券ともに扱いが不便であり、販売促進の効果が少ないという問題点がある。
【０００６】
また、一方で、電子掲示板に関しては、例えば駅などに設置されている黒板の掲示板に白墨で「先に行きます」などのメッセージを書く場合、時間が経過したり、いたずらされたりして消去されてしまうという問題点がある。また、「家庭教師します」、「子猫の里親募集」などの張り紙を貼る場合、こうした張り紙を作成することが面倒であり、また、同じような多数の張り紙の中に埋もれてしまうという問題点がある。
【０００７】
また、インターネットを介してメッセージのやり取りを行おうとする場合、メッセージを送る側及び受ける側の双方が、通信機能を有する携帯電話機などの機器を持っていなくてはならず、さらに、電子メールの場合には相手のメールアドレスをあらかじめ知っている必要があり、ＢＢＳを利用する場合にはメッセージを残すＢＢＳの場所をあらかじめ双方で決めておく必要があるという問題点がある。したがって、特に街角（道路や店舗内、駅構内など不特定多数の人が集まる場所）で不特定多数の人に向けて、「家庭教師します」、「子猫の里親募集」などのメッセージを伝えようとすることは困難である。
【０００８】
本発明は上記従来の問題点に鑑み、フランチャイズシステムなどの販売促進の効果を向上させることができ、かつ、特定の人又は不特定多数の人に向けてメッセージを伝えることを可能とする自動販売機及びキオスク端末並びに電子掲示板システムを提供することを目的とする。
【課題を解決するための手段】
【０００９】
上記目的を達成するために、本発明は、商品販売を行う自動販売機、又は情報販売又は情報提供を行うキオスク端末であって、
ユーザの携帯電話機からの伝言メッセージの受信が可能となる通信手段と、
前記伝言メッセージを目視可能なように表示するか、又は聴取可能なように再生するための出力手段とを有し、
前記ユーザが特定の人又は不特定多数の人に前記伝言メッセージを伝えることを可能とするように構成されている。
上記構成により、自動販売機又はキオスク端末の周囲にいる特定の人又は不特定多数の人に向けて、伝言メッセージを伝えることが可能となり、さらに、この伝言メッセージを入力するか又は読むために自動販売機又はキオスク端末付近に人を集め、自動販売機又はキオスク端末の設置されている店舗の販売を促進させることが可能となる。
【００１０】
また、本発明は、情報販売又は情報提供を行うキオスク端末であって、
商品購入と引き換えに電子掲示板に情報を登録するための電子登録券を販売者端末から受信した携帯電話機から、前記電子登録券を受信する手段と、
前記電子登録券を認証する認証手段と、
前記認証が正常に行われた場合、前記情報を受信する手段と、
インターネットに公開されている電子掲示板を有する掲示板サーバに前記情報を送信する手段とを有し、
前記システムサーバは前記電子掲示板に前記情報を登録するように構成されている。
上記構成により、ユーザが商品購入と引き換えに電子掲示板に情報を登録することができるので、販売促進の効果を向上させることが可能となる。
【００１１】
また、本発明は、電子掲示板システムが、インターネットに公開されている電子掲示板を管理する掲示板サーバと、携帯電話機からの伝言メッセージの受信が可能となる通信手段と、伝言メッセージを目視可能なように表示するか、又は聴取可能なように再生するための出力手段とを有する自動販売機又はキオスク端末とにより構成され、携帯電話機から自動販売機又はキオスク端末に携帯電話機の識別情報及び伝言メッセージを送信し、自動販売機又はキオスク端末は、自動販売機又はキオスク端末の出力手段から伝言メッセージを出力し、自動販売機又はキオスク端末から掲示板サーバに携帯電話機の識別情報及び伝言メッセージを送信し、掲示板サーバは電子掲示板に伝言メッセージを掲示し、携帯電話機の識別情報を参照して、掲示板サーバから携帯電話機に前記伝言メッセージが掲示された旨の電子メールを送信するように構成されている。
上記構成により、自動販売機又はキオスク端末の周囲にいる特定の人又は不特定多数の人に向けて、伝言メッセージを伝えることが可能となり、また、伝言メッセージをインターネット上で公開することが可能となる。さらに、この伝言メッセージを入力するか又は読むために自動販売機又はキオスク端末付近に人を集め、自動販売機又はキオスク端末の設置されている店舗の商品の販売を促進させることが可能となる。
【００１２】
さらに、本発明は、前記ユーザが前記自動販売機から商品を購入した場合、又は前記ユーザにより前記キオスク端末に所定の情報が入力された場合、前記自動販売機又は前記キオスク端末が前記携帯電話機からの前記伝言メッセージの受信を可能とする制御手段を有する構成となっている。
上記構成により、伝言メッセージを入力したいユーザは販売者端末から商品を購入したり、販売者端末が設置されている店舗で商品を購入したりするので、自動販売機や販売者端末が設置されている店舗の商品の販売を促進させることが可能となる。
【００１３】
さらに、本発明は、前記掲示板サーバが、電子メールに販売促進の効果を有する情報を挿入する情報挿入手段を有する構成となっている。
上記構成により、ユーザに対して電子メールによる商品の宣伝などを行うことが可能となり、商品の販売を促進させることが可能となる。
【００１４】
また、本発明は、電子掲示板をネット接続サービスを介して閲覧可能に提示する掲示板サーバを備え、
商品の販売者端末から、ユーザの携帯電話機に商品購入と引き換えに前記電子掲示板に情報を登録する電子登録券を送信し、
前記携帯電話機から、前記電子登録券をキオスク端末に送信することと引き換えに前記電子掲示板に情報を送信し、
前記キオスク端末から前記情報を前記掲示板サーバに登録するように構成されている。
上記構成により、ユーザが商品購入と引き換えに電子掲示板に情報を登録することができるので、販売促進の効果を向上させることが可能となる。
【００１５】
さらに、本発明は、前記販売者端末がＰＯＳ端末である構成となっている。
上記構成により、コンビニエンスショップやファーストフードショップなどのフランチャイズ販売システムなどの販売促進の効果を向上させることが可能となる。
【００１６】
さらに、本発明は、前記販売者端末が自動販売機である構成となっている。
上記構成により、自動販売機で商品を販売するメーカなどの販売促進の効果を向上させることが可能となる。
【発明の効果】
【００１７】
本発明によれば、ユーザが入力した伝言メッセージが街角に設置された自動販売機又はキオスク端末の出力手段により表示されるので、自動販売機又はキオスク端末の周囲にいる特定の人又は不特定多数の人に向けて、伝言メッセージを伝えることが可能となり、さらに、この伝言メッセージを入力するか又は読むために自動販売機又はキオスク端末付近に人を集めるという効果がある。
【００１８】
また、自動販売機から商品を購入した顧客のみが伝言メッセージを入力できるようにした場合、伝言メッセージを入力したいユーザは自動販売機から商品を購入するので、その自動販売機からの商品の売上増加の効果が望める。さらにキオスク端末が設置されている店舗で商品を購入した顧客のみが伝言メッセージを入力できるようにした場合、伝言メッセージを入力したいユーザはキオスク端末が設置されている店舗で商品を購入するので、その店舗の商品の売上増加の効果が望める。
【００１９】
ユーザが商品購入と引き換えにインターネット上に公開されている電子掲示板に情報や伝言メッセージを登録することができるので、インターネットに接続可能な人に向けて情報や伝言メッセージを伝えることが可能となり、さらには、情報や伝言メッセージを登録しようとしてユーザが商品を購入するので、商品の販売促進の効果を向上させることが可能となる。
【００２０】
また、掲示板サーバはユーザからの伝言メッセージが電子掲示板に登録する際に、販売促進の効果を有する情報を含む電子メールによって登録通知を行うので、ユーザに対して商品の宣伝などを行うことが可能となり、商品の販売促進が可能となる。また、ユーザは、短距離通信によって携帯電話機から自動販売機又は販売者端末に伝言メッセージを入力するので、ユーザが伝言メッセージの入力を行うインターフェイスとして、例えばキーボードのような付属機器を販売者端末に付加する必要はない。
【発明を実施するための最良の形態】
【００２１】
以下、図面を参照して本発明の第１〜第３の実施の形態について説明する。
＜第１の実施の形態＞
図１は本発明の電子掲示板システムに係る第１の実施の形態を示す構成図である。また、図１内の（Ｓ１）などの記載は、後述の図２の電子掲示板システム全体の動作を示すフローチャートのステップ番号と対応している。
【００２２】
本発明の電子掲示板システムは、携帯電話機１、自動販売機２、掲示板サーバ３により構成される。携帯電話機１は、従来の電話回線を介した通信機能のほかに、赤外線通信やbluetooth（ブルートゥース）などの短距離通信を行うための短距離通信インターフェイスを有する。自動販売機２は、文字や画像を表示することが可能な液晶モニタなどの出力手段５のほかに、通信回線を介して掲示板サーバ３と接続する通信手段、赤外線通信やbluetooth（ブルートゥース）など短距離通信を行うための無線通信手段又はケーブルなど有線通信手段などの短距離通信インターフェイス（通信手段）を有する。掲示板サーバ３は、インターネット上に電子掲示板（伝言掲示板）を公開するためのＷＷＷサーバ６を有し、ネット接続サービス（例えば株式会社エヌ・ティ・ティ・ドコモのｉモード（登録商標）センタ４）を介して、携帯電話機１にメールを配信することが可能である。
【００２３】
次に電子掲示板システムの動作について説明する。図２は、本発明の電子掲示板システムに係る第１の実施の形態を説明するためのフローチャートである。図１の構成において、ステップＳ１において、ユーザが携帯電話機１から自動販売機２に対して、携帯電話機１の短距離通信インターフェイス及び自動販売機２の短距離通信インターフェイスを介して、携帯電話機１の識別情報及び伝言メッセージを送信する。この伝言メッセージは自動販売機２のメモリに格納される。また、携帯電話機１の識別情報は、その携帯電話機１の電子メールアドレスが判別可能となるものが好ましい。
【００２４】
このとき、自動販売機２にユーザが商品を購入したことを検知し、ユーザによる商品の購入が検知された場合にのみ携帯電話機との通信を行う通信手段をオンにする制御手段を設け、自動販売機２に収納されている商品を購入した顧客のみが伝言メッセージの送信を行えるように設定することも可能である。また、自動販売機２を利用しているか否かにかかわらず、全ての人が伝言メッセージの送信を行えるように設定することも可能である。また、伝言メッセージとしてはテキストデータが好ましいが画像データや音声データを送信することも可能である。
【００２５】
次に、ステップＳ３において、自動販売機２は、ステップＳ１で受信した伝言メッセージを出力手段５から出力する。このとき、１つの伝言メッセージのデータ量や出力時間（伝言メッセージの表示時間）をあらかじめ設定しておくことも可能である。また、例えば購入金額によって、ユーザがデータ量や出力時間を多く設定できるように定めることも可能である。
【００２６】
ステップＳ５において、ステップＳ１で受信した携帯電話機１の識別情報及び伝言メッセージを飲料メーカの掲示板サーバ３に送信する。この掲示板サーバ３の格納手段には、他の各地域に設置された自動販売機２から送信されてくる様々な伝言メッセージが格納される。
【００２７】
続いて、ステップＳ７において、掲示板サーバ３は、例えば電子メール作成手段などにより、自動的に掲示板サーバ３に伝言メッセージが登録された旨を通知する登録通知電子メールを作成し、掲示板サーバ３から電子メールのアドレス先の携帯電話機１に対して送信する。このとき、各伝言メッセージが識別可能となるように識別ＩＤを付して、その識別ＩＤをＷＥＢリンクとして登録通知電子メールに挿入しておくのが好ましい。また、掲示板サーバ３から携帯電話機１への電子メールは、例えばｉモード（登録商標）センタ４などのネット接続サービスを介して行われるのが好ましい。また、掲示板サーバ３が情報挿入手段を有し、この電子メールに、商品の販売促進の効果を有する情報を挿入することも可能である。
【００２８】
この販売促進の効果を有する情報は、電子メール中に直接記載されることも可能であり、また、販売促進の効果を有する情報（販売促進情報）が閲覧可能となるＷＥＢのリンクなどが挿入されることも可能である。また、この販売促進情報は、例えば自動販売機２で売られている商品又はそのメーカの関連商品に関する情報が好ましい。また、販売促進情報として、購入された自動販売機２がある地域情報（その地域にある店舗情報やその店舗の商品情報）とすることも可能である。
【００２９】
また、複数の販売促進情報の中からランダムに販売促進情報を選択して、ユーザに配信することも可能である。一方、掲示板サーバ３が各ユーザの携帯電話機１の識別情報及びそのユーザに配信した販売促進情報の履歴を蓄積しておいて、一度配信した販売促進情報とは異なる情報を選択して配信し、同じユーザに異なる販売促進情報が配信されるようにすることも可能である。
【００３０】
ステップＳ９において、掲示板サーバ３は、インターネット上の電子掲示板（伝言掲示板）に伝言メッセージを掲載する。このとき、例えばステップＳ７で伝言メッセージに付された識別ＩＤのＷＥＢリンクが、インターネット上の電子掲示板に公開された伝言メッセージと対応するように設定されるのが好ましい。また、電子掲示板は、ユーザからの伝言メッセージに対して第３者が応答可能となるように、ＣＧＩ（Common Gateway Interface：コモン・ゲートウェイ・インターフェイス）などのプログラムを含むＷＥＢサイトを構築しておくことが好ましい。
【００３１】
また、自動販売機２及び掲示板サーバ３には、様々なユーザから入力された伝言メッセージが蓄積される。したがって、自動販売機２又は掲示板サーバ３に表示時間を管理する時間管理手段を設置し、定められた出力時間を過ぎた伝言メッセージを削除できるようにすることによって、自動販売機２のメモリ又は掲示板サーバ３の格納手段が蓄積許容限度を超えないようにすることが可能となる。
【００３２】
また、伝言メッセージが入力された自動販売機２の出力手段５のみから伝言メッセージが出力されるのではなく、他の自動販売機２の出力手段５から伝言メッセージが出力されるようにしてもよい。さらに、例えば「入力された自動販売機のみ」、「半径１ｋｍ以内にある自動販売機」、「半径１０ｋｍ以内にある自動販売機」などのように伝言メッセージの出力が可能な自動販売機のエリアを変えられるようにすることも可能である。この表示エリア設定は、出力時間設定と同様に１つの伝言メッセージに関する表示エリアをあらかじめ設定しておくことも可能であり、また、例えば購入金額によって、ユーザが表示エリアを広く設定できるようにすることも可能である。
【００３３】
これによって、例えばある自動販売機２の前で待ち合わせをしていたユーザが「先に行きます」という伝言メッセージを残す場合には、伝言メッセージが入力された自動販売機２の出力手段５のみから伝言メッセージが出力されるようにすればよく、一方、例えばユーザが「家庭教師やります」や「飼っていた犬を探しています」という伝言メッセージなど、ある程度の範囲にわたって伝言メッセージを伝えたい場合には、複数台の自動販売機２にわたって、伝言メッセージが表示されるようにすることも可能である。
【００３４】
また、悪意あるユーザが、伝言メッセージとして公序良俗に反する文言を入力し、その文言が自動販売機２の出力手段５から出力されてしまうことも想定される。したがって、掲示板サーバ３において常に伝言メッセージを管理し、公序良俗に反する文言の伝言メッセージをすぐに削除できるようにすることが好ましい。これは、例えば掲示板サーバ３のオペレータによって管理されることも可能であり、また、例えば表示禁止用語データの蓄積されたデータベースと、自動販売機２又は掲示板サーバ３にある伝言メッセージを削除する自動削除手段とを設け、自動削除手段がそのデータベース中の表示禁止用語データと伝言メッセージとを常時比較して、一致する文言がある場合、その伝言メッセージを削除するようにすることも可能である。
【００３５】
また、上記第１の実施の形態では、自動販売機２から伝言メッセージを登録する態様を説明したが、例えばコンビニエンスストアなどに設置されたキオスク端末（店舗に設定され、様々な情報を販売又は配信したり、チケット予約などを可能にしたりする端末）から、伝言メッセージを登録するような態様も可能である。この場合、例えばキオスク端末が設置されている店舗で商品を購入し、その商品購入の証明となるレシートに記載された識別情報などの所定の情報をキオスク端末に入力することによって、伝言メッセージの入力が可能となるようにしてもよい。また、例えば顧客が音楽コンテンツやチケット予約などの何らかの情報を購入した場合、伝言メッセージが入力可能となるようにしてもよい。
【００３６】
＜第２の実施の形態＞
次に本発明の第２の実施の形態について説明する。図３は本発明に係る第２の実施の形態を示す構成図である。
【００３７】
図３は、コンビニエンスショップやファーストフードなどのフランチャイズシステムに適用した例を示している。ポータルサイト１１はそのフライチャイザ側に設けられ、ネット接続サービス（例えば株式会社エヌ・ティ・ティ・ドコモのｉモード（登録商標）センタ１４）を介して外部端末から閲覧可能な電子掲示板を提供するサーバを有する。ＰＯＳ端末１３はフランチャイジ（コンビニエンスショップ、ファーストフードショップなど）側に設けられている。
【００３８】
このような構成において、（１）（以下図中では丸付き数字で示す）顧客がＰＯＳ端末１３側の店で商品を購入すると、ＰＯＳ端末１３が顧客の携帯電話機２に対して、例えば商品代金に応じた掲示板情報の電子登録券を送信する。この通信形態としては、赤外線通信や、ブルートゥースなどのローカルワイヤレス無線通信を用いることができる。（２）（以下図中では丸付き数字で示す）次いで携帯電話機１２がキオスク端末１６に対してこの電子登録券を赤外線などで提示すると、キオスク端末１６がこれを認証する。（３）（以下図中では丸付き数字で示す）そして、認証結果がＯＫであれば顧客の掲示板情報をキオスク端末１６に登録可能にする。この掲示板情報のデータ形式としては、携帯電話機１２上に作成されたテキストデータやフロッピィ（登録商標）ディスク上に作成されたテキストデータ、静止画データなどが考えられる。
【００３９】
（４）（以下図中では丸付き数字で示す）次いでキオスク端末１６に登録された掲示板情報をポータルサイト１１に送信して登録し、（５）（以下図中では丸付き数字で示す）次いでポータルサイト１１からキオスク端末１６にその取得情報を送信する。（６）（以下図中では丸付き数字で示す）ポータルサイト１１に登録された掲示板情報は、ユーザの携帯電話機１２などからネット接続サービスを介してポータルサイト１１にアクセスすることにより閲覧することができる。
【００４０】
＜第３の実施形態＞
上記の第２の実施形態では、コンビニエンスショップやファーストフード店などのフランチャイズシステムに適用した例を示したが、第３の実施形態として図４に示すように、例えば飲料メーカの自動販売機１５を用いた販売システムにも適用することができる。この場合、ポータルサイト１１は飲料メーカのセンタに設置され、自動販売機１５は無人である。そして、（１）顧客が自動販売機１５で商品を購入すると、自動販売機１５が顧客の携帯電話機１２に対して、例えば商品代金に応じた掲示板情報の電子登録券を送信する。（２）〜（６）は第２の実施形態と同じであるので、説明を省略する。
【産業上の利用可能性】
【００４１】
本発明の自動販売機及びキオスク端末並びに電子掲示板システムは、これらを実現するコンピュータ関連産業及び通信関連産業において有用である。
【図面の簡単な説明】
【００４２】
【図１】本発明に係る第１の実施の形態を示す構成図
【図２】本発明に係る第１の実施の形態を説明するためのフローチャート
【図３】本発明に係る第２の実施の形態を示す構成図
【図４】本発明に係る第３の実施の形態を示す構成図
【符号の説明】
【００４３】
１、１２  携帯電話機
２、１５  自動販売機
３  掲示板サーバ
４、１４  ｉモードセンタ
５  出力手段
６  ＷＷＷサーバ
１１  ポータルサイト
１３  ＰＯＳ端末
１６  キオスク端末
【図１】
2006252260.tif 000003
【図２】
2006252260.tif 000004
【図３】
2006252260.tif 000005
【図４】
2006252260.tif 000006